(57)【要約】【課題】仕切り板をタンク内に配置することによりタンクの製造コストが増大する。【解決手段】本発明の油圧ユニットは、油を貯留するタンク２と、タンク２の側方に配置され、外部機器に油を供給するポンプ３、ポンプ３を駆動するモータ４とを備え、タンク２は、外部機器からの油が流入する流入口２ａを有し、タンク２の底面には、流入口２ａからポンプ３に向かって流れる油の流れ方向と交差する凹部５ａ及び凸部５ｂが交互に配置された凹凸面５が形成される。【選択図】図２
2018044565.tif 000002
【特許請求の範囲】
【請求項１】
油を貯留するタンクと、
上記タンクの側方に配置され、外部機器に油を供給するポンプと、
上記ポンプを駆動するモータとを備え、
上記タンクは、外部機器からの油が流入する流入口を有し、
上記タンクの底面には、上記流入口から上記ポンプに向かって流れる油の流れ方向と交差する凹部及び凸部が交互に配置された凹凸面が形成されることを特徴する油圧ユニット。
【請求項２】
上記タンクの外周面は、蛇腹状に形成されることを特徴する請求項１に記載の油圧ユニット。
【発明の詳細な説明】
【技術分野】
【０００１】
本発明は、油を油圧アクチュエータへ供給する油圧ユニットに関する。
【背景技術】
【０００２】
工作機械等の主機に搭載されており、ポンプから送り出された高圧の油を油圧アクチュエータに供給するための油圧ユニットが知られている。従来、油圧ユニットとしては、油を収容するタンクと、タンクの側方に配置されたポンプと、ポンプを駆動するモータとを備えたものがある。
【先行技術文献】
【特許文献】
【０００３】
【特許文献１】特開平６−３０４８１号公報
【発明の概要】
【発明が解決しようとする課題】
【０００４】
従来の油圧ユニットにおいて、タンクは、工作機械等からの油が流入する流入口を有し、流入口からタンク内に流入した油がポンプの供給口に向かって流れた後、ポンプの供給口から工作機械等に供給される。従来の油圧ユニットでは、タンク内の油に含まれたコンタミが工作機械等に供給される技術課題を解消するために、タンク内に仕切り板（バッフル）等を配置し、タンク内の油に含まれたコンタミが工作機械等に供給されるのを防止していた。したがって、仕切り板をタンク内に配置することによりタンクの製造コストが増大する問題がある。
【０００５】
そこで、本発明の目的は、タンク内に仕切り板等を配置しないでも、タンク内の油に含まれたコンタミが工作機械等に供給されるのを防止できる油圧ユニットを提供することである。
【課題を解決するための手段】
【０００６】
第１の発明にかかる油圧ユニットは、油を貯留するタンクと、上記タンクの側方に配置され、外部機器に油を供給するポンプと、上記ポンプを駆動するモータとを備え、上記タンクは、外部機器からの油が流入する流入口を有し、上記タンクの底面には、上記流入口から上記ポンプに向かって流れる油の流れ方向と交差する凹部及び凸部が交互に配置された凹凸面が形成されることを特徴する。
【０００７】
この油圧ユニットでは、流入口からタンク内に流入した油がポンプの供給口に向かって流れる間に、タンク底面の凹凸面によりコンタミが除去される。したがって、タンク内に仕切り板等を配置しないでも、タンク内の油に含まれたコンタミが工作機械等に供給されるのを防止できる。また、タンクの底面に凹凸面を形成することにより、タンクの放熱面積が増加し、タンク容量を少なくできる。
【０００８】
第２の発明にかかる油圧ユニットは、第１の発明にかかる油圧ユニットにおいて、上記タンクの外周面は、蛇腹状に形成されることを特徴する。
【０００９】
この油圧ユニットでは、タンクが伸縮することにより、タンク容量を変化させることができる。また、タンクを湾曲させることにより、スペースに基づいてタンクの長さを変化させることができる。また、タンクの外周面に廃油口が配置されている場合に、タンクを湾曲させることにより、廃油口の配置を変化させることができる。また、ポンプの振動を吸収することにより、低騒音、低振動になる。
【発明の効果】
【００１０】
以上の説明に述べたように、本発明によれば、以下の効果が得られる。
【００１１】
第１の発明では、流入口からタンク内に流入した油がポンプの供給口に向かって流れる間に、タンク底面の凹凸面によりコンタミが除去される。したがって、タンク内に仕切り板等を配置しないでも、タンク内の油に含まれたコンタミが工作機械等に供給されるのを防止できる。また、タンクの底面に凹凸面を形成することにより、タンクの放熱面積が増加し、タンク容量を少なくできる。
【００１２】
第２の発明では、タンクが伸縮することにより、タンク容量を変化させることができる。また、タンクを湾曲させることにより、スペースに基づいてタンクの長さを変化させることができる。また、タンクの外周面に廃油口が配置されている場合に、タンクを湾曲させることにより、廃油口の配置を変化させることができる。また、ポンプの振動を吸収することにより、低騒音、低振動になる。
【図面の簡単な説明】
【００１３】
【図１】本発明の実施形態にかかる油圧ユニットの上面図、正面図、側面図である。
【図２】図１の油圧ユニットの上面図、タンクの断面模式図である。
【図３】図１の油圧ユニットの正面図である。
【図４】図１の油圧ユニットの上面図である。
【発明を実施するための形態】
【００１４】
以下、本発明の実施形態にかかる油圧ユニット１について、図面を参照しつつ説明する。本実施形態の油圧ユニット１は、図１に示すように、油を収容するタンク２と、タンク２の側方に配置されたポンプ３と、ポンプ３を駆動するモータ４と、コントローラ１０とを有している。
【００１５】
タンク２は、水平方向に延びた円筒状であって、その外周面は蛇腹状に形成される。図１（ａ）及び図１（ｂ）に示すように、タンクの２の上面の右端部には、工作機器などの外部機器からの油が流入する流入口２ａが配置され、左端部には、工作機器などの外部機器に対し、油を供給するポンプ３が配置される。ポンプ３の上面には、外部機器に油を供給する供給口３ａが配置され、ポンプ３の側面には、圧力センサ３ｂが配置される。したがって、油圧ユニット１では、ポンプ３を駆動することにより、タンク２に貯留された油をポンプ３の供給口３ａから工作機器などの外部機器に供給し、工作機器などの外部機器からの油が流入口２ａからタンク２内に流入する。図１（ｃ）に示すように、タンク２の側面の下端部には、タンク２内の油を廃油口２ｂが配置され、側面の上端部には、油面計２ｃが配置される。
【００１６】
図２に示すように、タンク２の外周面は、蛇腹状であって、流入口２ａからポンプ３の供給口３ａに向かって流れる油の流れ方向と交差する凹部５ａ及び凸部５ｂが交互に配置された凹凸面５が形成される。したがって、タンク２の底面には、流入口２ａからポンプ３の供給口３ｂに向かって流れる油の流れ方向と交差する凹部５ａ及び凸部５ｂが交互に配置された凹凸面５が形成される。よって、タンク２内において、流入口２ａからポンプ３の供給口３ｂに向かって流れる油は、凹部５ａの上方を流れた後、凸部５ｂの上方を流れるが、そのとき、油に含まれたコンタミは、凸部５ｂによりせき止められ、凹部５ａ内に除去される。本実施形態では、タンク２の凹凸面５の左端部の下方及び右端部の下方には、それぞれ、磁石５ｃが配置され、凹部５ａ内に除去されたコンタミは、磁石５ｃの磁力により凹部５ａの外部に逃げないように構成される。
【００１７】
図３に示すように、タンク２の外周面は、蛇腹状であって、水平方向に伸縮可能に構成される。したがって、タンク２は、その長さを変更可能であって、長さを変更することによりタンク容量を変更可能である。よって、タンク２は、図３（ａ）に示すように、大容量のタンクとして使用可能であると共に、図３（ｂ）に示すように、小容量のタンクと使用可能である。
【００１８】
図４に示すように、タンク２の外周面は、蛇腹状であって、湾曲させることが可能である。したがって、図４（ａ）に示すように、タンク２を直線状にした状態から、図４（ｂ）に示すように、タンク２を湾曲させた場合、油圧ユニット１の左右方向長さを短縮できる。
【００１９】
＜本実施形態の油圧ユニットの特徴＞
本実施形態の油圧ユニット１には、以下の特徴がある。
【００２０】
本実施形態の油圧ユニット１では、流入口２ａからタンク２内に流入した油がポンプ３の供給口３ａに向かって流れる間に、タンク２底面の凹凸面５によりコンタミが除去される。したがって、タンク２内に仕切り板等を配置しないでも、タンク２内の油に含まれたコンタミが工作機械等に供給されるのを防止できる。また、タンク２の底面に凹凸面５を形成することにより、タンク２の放熱面積が増加し、タンク容量を少なくできる。
【００２１】
本実施形態の油圧ユニット１では、タンク２の外周面が蛇腹状であって、タンク２が伸縮することにより、タンク容量を変化させることができる。また、タンク２を湾曲させることにより、スペースに基づいてタンク２の長さを変化させることができる。また、タンク２の外周面に廃油口２ｂが配置されている場合に、タンク２を湾曲させることにより、廃油口２ｂの配置を変化させることができる。また、ポンプ３の振動を吸収することにより、低騒音、低振動になる。また、タンク２の凹凸面５の下方に磁石５ｃを配置することにより、コンタミを凹凸面５に付着させることができる。
【００２２】
以上、本発明の好適な実施形態について説明したが、本発明は上述の実施の形態に限られるものではなく、特許請求の範囲に記載した限りにおいて、様々な設計変更を行うことが可能なものである。
【００２３】
上述の実施形態では、タンク２が円筒状である場合を説明したが、円筒状に限定されない。したがって、タンク２は筒状であればよい。
【００２４】
上述の実施形態では、また、タンク２の外周面が蛇腹状である場合を説明したが、タンク２の少なくとも底面が凹凸面を有していればよい。
【符号の説明】
【００２５】
１  油圧ユニット
２  タンク
２ａ  流入口
３  ポンプ
３ａ  供給口
４  モータ
５  凹凸面
５ａ  凹部
５ｂ  凸部
【図１】
2018044565.tif 000003
【図２】
2018044565.tif 000004
【図３】
2018044565.tif 000005
【図４】
2018044565.tif 000006